(57)【要約】【課題】取扱性に優れ、眼鏡フレームに対して安定した状態で装着することができ、左右の瞳孔間距離およびアイポイント高さを正確に測定することができる眼鏡用測定具を提供する。【解決手段】眼鏡用測定具１は、瞳孔間距離測定部Ａおよびアイポイント高さ測定部Ｂが設けられた透明なプレートからなる前面板２と、この前面板２を眼鏡フレームに対して高さ調整する高さ調整機構３０と、前面板２の左右両端に後方に向かってそれぞれ延設された左右一対の側板４０Ａ、４０Ｂと、各側板４０Ａ、４０Ｂにそれぞれ取付けられ、被検者の顔面側部をそれぞれ押圧し、さらに各側板が眼鏡フレームのテンプルと平行になるように側板を調節する左右一対の押圧・調節手段６０を備えている。【選択図】  図１
2009148418.tif 000002
【特許請求の範囲】
【請求項１】
瞳孔間距離測定部およびアイポイント高さ測定部が設けられた透明なプレートからなり、眼鏡フレームの前方に装着される前面板と、
前記前面板を前記眼鏡フレームに対して高さ調整する高さ調整機構と、
前記前面板の左右両端に後方に向かってそれぞれ延設された左右一対の側板と、
前記各側板にそれぞれ取付けられ、被検者の顔面側部をそれぞれ押圧し、さらに前記各側板が眼鏡フレームのテンプルと平行になるように前記側板を調節する左右一対の押圧・調節手段とを備えたことを特徴とする眼鏡用測定具。
【請求項２】
請求項１記載の眼鏡用測定具において、
前記高さ調整機構は、前記前面板の中央に設けられたねじ孔に螺合するねじ体と、このねじ体に取付けられた左右方向に延在する高さ調整アームとを備え、前記高さ調整アームの左右両端には眼鏡フレーム上に載置される載置部がそれぞれ設けられ、各載置部は前記前面板に設けたガイド部に上下方向に相対摺動自在に連結されていることを特徴とする眼鏡用測定具。
【請求項３】
請求項１または２記載の眼鏡用測定具において、
前記左右一対の側板の少なくともいずれか一方にレンズの傾斜角を測定する傾斜角測定部を設けたことを特徴とする眼鏡用測定具。
【請求項４】
請求項１または２記載の眼鏡用測定具において、
前記左右一対の側板の少なくともいずれか一方にレンズやフレーム枠横面から角膜頂点までの距離を測定する測定部を設けたことを特徴とする眼鏡用測定具。
【請求項５】
請求項１、２、３、４のうちのいずれか一項に記載の眼鏡用測定具において、
前記左右一対の側板の後端に回転板をそれぞれ取付け、この回転板に前記押圧・調節手段を取付けたことを特徴とする眼鏡用測定具。
【発明の詳細な説明】
【技術分野】
【０００１】
本発明は、被検者の瞳孔間距離、アイポイント高さ等を測定可能にした眼鏡用測定具に関するものである。
【背景技術】
【０００２】
レンズ玉型（未加工のレンズ）を眼鏡フレームの左右の枠部形状に適合するように縁摺り加工するときには、眼鏡装用者の左右の眼のアイポイント（眼鏡フレームを装用したとき、眼鏡フレームにおける装用者の左右眼の瞳孔位置、以下ＩＰともいう）と左右レンズの光学中心とがずれていると、装用感に大きく影響するため、左右の瞳孔間距離（以下、ＰＤともいう）、または鼻梁の中心から左右の瞳孔までの距離（以下、片眼ＰＤともいう）を正確に測定して左右のレンズの光学中心点間距離を決定し、各レンズの光学中心と左右の眼のＩＰが一致するように各レンズを加工する必要がある。このため、例えば特許文献１等に開示された測定具によってＰＤや片眼ＰＤを測定している。
【０００３】
前記特許文献１に記載されているアイポイント測定具は、被検者の左右眼の各瞳孔の横方向位置および高さ方向位置を簡易にかつ正確に測定するものである。このアイポイント測定具は、眼鏡フレームの前方にフレームと平行に配置される基礎部材と、この基礎部材を眼鏡フレームに取付けるためのクリップ状の取付け部と、基礎部材に対してその長手方向（横方向）に移動自在に取り付けられ、被検者の左右眼の瞳孔のそれぞれに個々に位置合せされる左右の可動部材とを備え、基礎部材に瞳孔の横方向位置を測定する横方向目盛を設け、可動部材に瞳孔の縦方向の位置を測定する縦方向目盛を設けている。
【０００４】
【特許文献１】特開平８−９８８１０号公報
【発明の開示】
【発明が解決しようとする課題】
【０００５】
しかしながら、上記した特許文献１に記載されているアイポイント測定具は、二股状に分岐した一対の挟み込み部材によって眼鏡フレームの中央部を２点挟持する挟持構造を採用しているため、眼鏡フレームに対して正確に高さ調整することが難しく、上下、左右方向にずれたり、傾いたりし易く、また左右の可動部材を基礎部材に対してその都度個々に高さ調整する必要があるため、取扱い上に問題があった。
【０００６】
本発明は上記したような従来の問題を解決するためになされたもので、その目的とするところは、簡単な構造で取扱い易く、様々な形状の眼鏡フレームに対して安定した状態で装着することができ、左右の瞳孔間距離およびアイポイント高さを正確に測定することができる眼鏡用測定具を提供することにある。
【課題を解決するための手段】
【０００７】
上記目的を達成するために本発明は、瞳孔間距離測定部およびアイポイント高さ測定部が設けられた透明なプレートからなり、眼鏡フレームの前方に装着される前面板と、前記前面板を前記眼鏡フレームに対して高さ調整する高さ調整機構と、前記前面板の左右両端に後方に向かってそれぞれ延設された左右一対の側板と、前記各側板にそれぞれ取付けられ、被検者の顔面側部をそれぞれ押圧し、さらに前記各側板が眼鏡フレームのテンプルと平行になるように前記側板を調節する左右一対の押圧・調節手段とを備えたものである。
【０００８】
また、本発明は、上記発明において、前記高さ調整機構が前記前面板の中央に設けられたねじ孔に螺合するねじ体と、このねじ体に取付けられた左右方向に延在する高さ調整アームとを備え、前記高さ調整アームの左右両端には眼鏡フレーム上に載置される載置部がそれぞれ設けられ、各載置部は前記前面板に設けたガイド部に上下方向に相対摺動自在に連結されているものである。
【０００９】
また、本発明は、上記発明において、前記左右一対の側板の少なくともいずれか一方にレンズの傾斜角を測定する傾斜角測定部を設けたものである。
【００１０】
また、本発明は、上記発明において、前記左右一対の側板の少なくともいずれか一方にレンズやフレーム枠横面から角膜頂点までの距離を測定する測定部を設けたものである。
【００１１】
さらに、本発明は、上記発明において、前記左右一対の側板の後端に回転板をそれぞれ取付け、この回転板に前記押圧・調節手段を取付けたものである。
【発明の効果】
【００１２】
本発明においては、前面板の高さを調整する高さ調整機構を備えているので、眼鏡フレームに対して前面板の高さを容易かつ正確に調整することができる。
【００１３】
また、本発明においては、高さ調整アームの載置部を眼鏡フレーム上に載置した状態でねじ体を回転させると、前面板がねじ体に沿って上下動し、前面板の眼鏡フレームに対する高さが調整される。
【００１４】
また、本発明においては、側板に傾斜角測定部や、レンズやフレーム枠横面から角膜頂点までの距離を測定する測定部を設けているので、測定者が必要とする、レンズの傾斜角や、頂点間距離や、フレーム枠横から見たときのフレーム枠先端部、後方部、ヤゲン溝部等から角膜頂点までの距離を測定することができる。
【００１５】
さらに、本発明は、側板の後端に回転板を取付け、この回転板に押圧・調節手段を取付けているので、被検者のこめかみ付近に押圧・調節手段を押圧させた状態から、眼鏡フレームのテンプル部分と側板を平行に調節することができ、さらに回転板を回転させて押圧・調節手段の高さを調整することにより、押圧・調節手段が眼鏡フレームのテンプルに当たらないようにすることもできる。
【発明を実施するための最良の形態】
【００１６】
以下、本発明を図面に示す実施の形態に基づいて詳細に説明する。
図１は本発明に係る眼鏡用測定具の一実施の形態を示す外観斜視図、図２は眼鏡用測定具の正面図、図３は眼鏡用測定具の平面図、図４は眼鏡用測定具の左側面図、図５は図１のＶ−Ｖ線断面図、図６は使用状態を示す正面図、図７は使用状態を示す左側面図である。これらの図において、全体を符号１で示す眼鏡用測定具は、眼鏡フレーム３（図３）の前方にこれと平行に装着される前面板２を備えている。
【００１７】
前記前面板２は、厚さが１〜１．５ｍｍ程度のプラスチック製の透明なプレートからなり、周縁には補強用のリブ４が一体に突設され、眼鏡フレーム３の左右のテンプル３Ａ、３Ｂ間の間隔よりも長い長さを有している。また、前面板２は、眼鏡フレーム３の左眼部３Ｃに対応する左眼対応部５Ａと、右眼部３Ｄに対応する右眼対応部５Ｂと、これらの左眼対応部５Ａと右眼対応部５Ｂを連結する連結部５Ｃと、左眼対応部５Ａと右眼対応部５Ｂの外側にそれぞれ一体に連設された左右の延長部５Ｄ、５Ｅとで構成されている。左眼対応部５Ａと右眼対応部５Ｂは、連結部５Ｃを挟んで左右対称な略逆三角形に形成され、表面中央には水平線８と、瞳孔間距離測定部Ａおよびアイポイント高さ測定部Ｂがそれぞれ設けられている。眼鏡フレーム３の左眼部３Ｃは、左眼用のフレーム枠６Ｌと、これにはめ込まれる左眼用のレンズ７Ｌとで構成され、右眼部３Ｄは、右眼用のフレーム枠６Ｒと、これにはめ込まれる右眼用のレンズ７Ｒ（図６）とで構成されている。なお、左右の区別をしない場合は、単にフレーム枠６、レンズ７と称し、添え字Ｌ（左）、Ｒ（右）を省略する。
【００１８】
前記水平線８は、眼鏡フレーム３のフレーム枠６のデータムラインＤＬ（眼鏡フレームにおける左右のフレーム枠の幾何学中心点間を結ぶ仮想水平線）を示すＰＤ用水平基準線（以下、ＰＤ用水平基準線８という）を形成している。「左右のフレーム枠の幾何学中心点」とは、各フレーム枠６に装着されるべきレンズ７における左端と右端の間の中間位置と、レンズ７の形状の上端と下端の間の中間位置とによって決まる点である。
【００１９】
前記瞳孔間距離測定部Ａは、遠方に位置する物体を真っ直ぐ注視している状態での瞳孔の中心間距離（ＦＰＤ）を測定する測定部で、前記ＰＤ用水平基準線８と、それぞれＰＤ用水平基準線８を基準とした左右眼の瞳孔の横方向の位置を読取るための左眼瞳孔水平位置読取用表示目盛１０Ｌおよび右眼瞳孔水平位置読取用表示目盛１０Ｒとを備えている。これらの瞳孔水平位置読取用表示目盛１０Ｌ、１０Ｒは、前記ＰＤ用水平基準線８に沿ってそれぞれ２ｍｍ間隔で表示されており、前面板２の左右方向の中心からの距離を示す２０、３０、４０（ｍｍ）の数値１１がそれぞれ表示されている。この数値１１は、左右のフレーム枠６Ｌ、６Ｒの幾何学中心点間距離の半分の値で、遠方瞳孔間距離（ＦＰＤ）の片眼ＰＤを示している。
【００２０】
前記アイポイント高さ測定部Ｂは、前記ＰＤ用水平基準線８、言い換えればデータムラインＤＬを基準とした左右眼の瞳孔の高さ方向の位置を測定する測定部で、左眼瞳孔高さ位置読取用表示目盛１２Ｌおよび右眼瞳孔高さ位置読取用表示目盛１２Ｒとを備えている。これらの瞳孔高さ位置読取用表示目盛１２Ｌ、１２Ｒは、ＰＤ用水平基準線８の上下方向にそれぞれ２ｍｍ間隔で表示されており、ＰＤ用水平基準線８からの距離を示す１０、２０（ｍｍ）の数値１３がそれぞれ表示されている。また、これらの表示目盛１２Ｌ、１２Ｒは、後述するようにＰＤ用水平基準線８を眼鏡フレーム３のデータムラインＤＬに一致させるときに用いられる。
【００２１】
前記左眼対応部５Ａと右眼対応部５Ｂとの間に形成されている逆Ｖ字状の凹部１４は、測定時に眼鏡用測定具１を眼鏡フレーム３と被検者２０に装着したとき、被検者２０の鼻梁２１（図６）が前面板２の下端縁に当たらないようにするために設けられるもので、前記連結部５Ｃの真下に位置している。
【００２２】
前記連結部５Ｃは、上下に開放する円筒部２４と、この円筒部２４の両側にそれぞれ設けられた補強用リブ２５と、円筒部２４に埋め込まれた金属製のナット２６とで構成され、この連結部５Ｃに前記前面板２を眼鏡フレーム３に対して高さ調整する高さ調整機構３０が取付けられている。
【００２３】
前記高さ調整機構３０は、前記ＰＤ用水平基準線８が眼鏡フレーム３のフレーム枠６のデータムラインＤＬと一致するように前面板２の高さを調整するために設けられているもので、前記ナット２６に上方から螺合するねじ体３１と、このねじ体３１が回転自在で進退不能な状態で取付けられた高さ調整アーム３２とで構成されている。高さ調整アーム３２は、左右方向に長く形成されて、中央に前記ねじ体３１を回転自在で進退不能に保持する孔３５（図５）が形成され、左右のアーム部３２ａ、３２ｂが斜め後方でかつ下方に延在することにより前記前面板２の左眼対応部５Ａと右眼対応部５Ｂの後方に位置し、その先端部が載置部３６Ａ、３６Ｂをそれぞれ形成している。これらの載置部３６Ａ、３６Ｂは、測定時に眼鏡フレーム３のフレーム枠６の上に載置されるもので、それぞれ側面視逆Ｖ字状に分岐されることにより、前後一対の係合片３６ａ、３６ｂを有している。このため、係合片３６ａと３６ｂの下面側には逆Ｖ字状の凹部３７（図５）が形成されており、この凹部３７に眼鏡フレーム３のフレーム枠６の上縁が係入されるようになっている。また、前後一対の係合片３６ａ、３６ｂのうち前方側に位置する係合片３６ａの先端には、板状の連結板３８がそれぞれ一体に設けられている。これらの連結板３８は、前記前面板２の各左眼対応部５Ａ、右眼対応部５Ｂに形成されたガイド部３９、３９に上方からそれぞれ相対摺動自在に係入されることにより、前面板２と高さ調整アーム３２を連結している。したがって、手でねじ体３１を回転させても、高さ調整アーム３２は回転せず、前面板２とねじ体３１が相対的に上下動する。すなわち、ねじ体３１（高さ調整アーム３２も）を固定側とみなすと、前面板２が上下動し、反対に前面板２を固定側とみなすと、ねじ体３１（高さ調整アーム３２も）が上下動する。前面板２のガイド部３９は、縦方向に長い断面Ｔ字状の溝からなり、左眼対応部５Ａと右眼対応部５Ｂの上面にそれぞれ開放している。
【００２４】
前記前面板２の各延長部５Ｄ、５Ｅは、横長矩形の板部分からなり、先端には側板４０Ａ、４０Ｂがそれぞれ一体に連設されている。これらの側板４０Ａ、４０Ｂは、前面板２と直交するように後方に向かって延設されることにより互いに対向し、眼鏡フレーム３の左右のテンプル３Ａ、３Ｂの間隔より広い間隔を有している。また、各側板４０Ａ、４０Ｂは、破損しないように厚肉部４１とリブ４２によって補強されており、表面にはレンズやフレーム枠横面から角膜頂点までの距離を測定する距離測定部Ｃが設けられ、さらに左側の側板４０Ａの表面にはレンズ７の傾斜角（前傾角）α（図７）を測定する傾斜角測定部Ｄが設けられている。
【００２５】
前記距離測定部Ｃは、レンズ７の前側頂点と角膜の前面頂点との距離からレンズの厚さを引いた距離（頂点間距離Ｓ、図７参照）やフレーム枠横面から角膜頂点までの距離等を測定する部分で、被検者２０の側方からの測定を可能にする距離測定用表示目盛４５を備えている。この距離測定用表示目盛４５は、側板４０Ａ、４０Ｂの前後方向に２ｍｍ間隔で表示され、測定距離を示す０、１０、２０（ｍｍ）の数値４６が表示されている。
【００２６】
図４において、前記傾斜角測定部Ｄは、レンズ７の傾斜角αを測定する部分で、傾斜角測定用表示目盛５０と、針５１およびレンズ７の傾斜角を示す０、１０、２０（°）の数値５２とを備えている。傾斜角測定用表示目盛５０は、側板４０Ａの表面下部で前後方向中央に表示された傾斜角測定用垂直基準線５４と、この垂直基準線５４の両側に傾斜角２°の間隔で表示された複数本の角度表示線５５とで構成されている。針５１は、傾斜角測定用表示目盛５０に対応して側板４０Ａの表面中央に設けられ、上端が支軸５６によって前後方向に回動自在に軸支されており、被検者２０が遠方に位置する物体を真っ直ぐ直視している状態において鉛直下方を指向し、下端には鉛直方向に長い角度表示線読み取用溝５７が形成されている。図４に示すように眼鏡用測定具１を水平に保持した状態において、傾斜角測定用垂直基準線５４は、針５１の角度表示線読み取用溝５７の中央に位置している。レンズ７の傾斜角αを示す数値５２は、傾斜角測定用表示目盛５０に対応して側板４０Ａの表面下部に一体に突設された表示板５８（図３）に表示されている。この表示板５８は、測定板４０Ａの表面と適宜な間隔を保って対向するように形成されており、この表示板５８と側板４０Ａとの隙間に前記針５１の下端部が差し込まれている。
【００２７】
前記各側板４０Ａ、４０Ｂの後端部には、被検者２０の顔の側面部（以下、顔面側部という）を押圧する押圧・調節手段６０が回転板６１を介してそれぞれ取付けられている。押圧・調節手段６０は、ねじ棒６２と、このねじ棒６２の基端側に設けられたつまみ部６３と、ねじ棒６２の先端に設けられた押圧部６４とで構成され、ねじ棒６２が回転板６１の外周よりに設けたねじ孔６５に外側からねじ込まれている。回転板６１は、押圧・調節手段６０を位置調整するため、さらには、押圧・調節手段６０を被検者２０に固定することで、回転板６１の中心部を基点に眼鏡用測定具１全体を上下に調整するために設けられるもので、側板４０Ａ、４０Ｂの後端部に形成された取付孔６６に回転可能にはめ込まれ、抜けが防止されている。また、回転板６１の外周面と取付孔６６の内周面には、互いに係合する凹凸が形成されており、これによって回転板６１の回転に節度感を与えるようにしている。
【００２８】
次に、このような構造からなる眼鏡用測定具１の各測定部Ａ〜Ｄによる測定方法を図６〜図７に基づいて説明する。図６は測定時の正面図、図７は同じく測定時の左側面図である。
測定に際しては、眼鏡用測定具１を被検者２０と眼鏡フレーム３に装着する。すなわち、眼鏡フレーム３の左右のフレーム枠６Ｌ、６Ｒの上に高さ調整アーム３２の左右の載置部３６Ａ、３６Ｂをそれぞれ載置し、高さ調整機構３０によって前面板２の眼鏡フレーム３に対する高さを調整する。高さ調整に際しては、ねじ体３１を回転させると、相対的に前面板２がねじ体３１と高さ調整アーム３２に対して上下動し、ＰＤ用水平基準線８をフレーム枠６のデータムラインＤＬに一致させる。この場合、フレーム枠６のデータムラインＤＬを左右の瞳孔高さ読取り用表示目盛１２Ｌ、１２Ｒによって読取る。すなわち、フレーム枠６の上縁と下縁が、瞳孔高さ読取り用表示目盛１２Ｌ、１２Ｒの零目盛（ＰＤ用水平基準線８）から上方側と下方側のどの目盛り線と一致しているかを視認し、同じ目盛り線となるように眼鏡用測定具１の高さを調整すると、ＰＤ用水平基準線８がデータムラインＤＬと一致したことになる。このように細かな上下位置の調整は装着後に行うこともできる。
【００２９】
前面板２の高さを調整した後、前面板２がレンズ７と平行になるように眼鏡用測定具１の前後方向の傾きを調整する。傾き調整は、側板４０Ａまたは４０Ｂを透して前面板２とレンズ７とを視認し、両部材が平行であるか否かを確認し、平行でない場合は、平行になるように眼鏡用測定具１を傾けて調整する。しかる後、左右の押圧・調節手段６０、６０のねじ棒６２を締め込み方向に回転させて押圧部６４を被検者２０の顔面側部にそれぞれ押し付けながら、つまみ部６３を回すことにより側板４０Ａ、４０Ｂを眼鏡フレーム３のテンプル３Ａ、３Ｂとそれぞれが平行になるように調節すると、眼鏡用測定具１は眼鏡フレーム３と被検者２０に装着され、眼鏡用測定具１の装着が完了する。
【００３０】
この装着状態において、瞳孔間距離を測定するときは、前面板２を透して被検者２０の左右各々の瞳孔ＰＬ、ＰＲの位置を確認し、鼻梁２１の中央から各瞳孔中心までの距離を左眼瞳孔水平位置読取用表示目盛１０Ｌおよび右眼瞳孔水平位置読取用表示目盛１０Ｒによって読み取る。
【００３１】
また、ＰＤ用水平基準線８からのアイポイント高さを測定するときは、左眼瞳孔高さ位置読取用表示目盛１２Ｌおよび右眼瞳孔高さ位置読取用表示目盛１２Ｒによって読み取る。
【００３２】
図７において、頂点間距離Ｓを測定するときは、側板４０Ａの距離測定用表示目盛４５によって読み取る。すなわち、被検者２０の角膜頂点Ｗとレンズ７の前側頂点Ｑを目測し、その距離を距離測定用表示目盛４５によって読み取る。読取りに際しては、零から角膜頂点Ｗまでの距離を読み取り、また零から前側頂点Ｑ間での距離を読み取り、その差（Ｑ−Ｗ）を求める。そして、この求めた値からレンズ７の中心肉厚を差し引いた値を頂点間距離Ｓとする。
【００３３】
また、被検者が眼鏡を作成する際に利用する場合はフレーム枠６Ｌ、６Ｒと角膜頂点Ｗとの距離を測定するため、この場合は角膜頂点Ｗとフレーム枠６Ｌまたは６Ｒの任意部間を、頂点間距離の時と同様の手法によって測定する。フレーム枠６Ｌ、６Ｒの任意部としたのは、フレーム枠６の厚さ、形状により測定したい部分が異なるためであり、例えばナイロン線フレームのようにナイロン線を使用したフレーム枠の場合、ナイロン線から角膜頂点Ｗまでの距離を距離測定用表示目盛４５によって測定する。
【００３４】
頂点間距離Ｓは、予め処方の段階で意図された距離に保持する必要がある。通常は１２ｍｍから１５ｍｍ位の距離が意図される。頂点間距離Ｓが意図された距離よりも離れていると、装用者にとって、レンズ７の屈折度はプラス側にずれて近視は弱く、遠視は強く感じ、それよりも近いと装用者にとって、レンズ７の屈折度はマイナス側にずれて近視は強く、遠視は弱く感じるため、眼鏡製作前後において、左右同距離で適切に保持されているか否かを計測し確認することが大切である。
【００３５】
同じく図７において、レンズ７の傾斜角αを測定するときは、被検者２０が正面を向いた状態において、針５１の傾きを角度表示線５５から読み取る。すなわち、眼鏡用測定具１は、図７に示すように眼鏡フレーム３と同一角度に保持されているので、角度表示線５５のうちのどの表示線が針５１の角度表示線読み取用溝５７内に位置するかを目視し、レンズ７の傾斜角αを読み取る。例えば、図７においては、傾斜角測定用垂直基準線５４より前方側に１０本目の角度表示線５５が角度表示線読み取用溝５７内に位置しているため、レンズ７の傾斜角αは２０°と読み取る。
【００３６】
レンズ７は、視線とレンズ７の主軸が一致するとき、その屈折系の収差を最もよく補正するように設計されている。一方、遠方視するとき、その視線は水平線に対して５〜１０°下方に傾いている。したがって、遠方用眼鏡は常用視線とレンズの光軸を一致させるためにフレーム枠に５〜１０°の傾斜角を与える必要がある。近方用眼鏡は手元で下方を見る前提で傾斜角が１２〜１５°に設定される。遠近両用タイプは傾斜角を１０〜１２°に設定することが望ましい。以上を目安に傾斜角が適切に保持されているか否かを眼鏡製作前後で計測し確認することが大切である。
【００３７】
このように本発明に係る眼鏡用測定具１によれば、前面板２を高さ調整する高さ調整機構３０を備えているので、眼鏡用測定具１を被検者２０と眼鏡フレーム３に装着したとき、前面板２に表示されているＰＤ用水平基準線８をフレーム枠６のデータムラインＰＤに正確に一致させることが容易で、瞳孔間距離およびアイポイント高さを正確に測定することができる。また、高さ調整機構３０の高さ調整アーム３２の各載置部３６Ａ、３６Ｂを眼鏡フレーム３の各フレーム枠６の上に載置し、左右一対の押圧・調節手段６０を被検者２０の顔面側部に押し付けるようにしているので、眼鏡用測定具１を被検者２０に対して安定した状態で装着することができ、さらに眼鏡フレームのテンプル３Ａ、３Ｂと側板４０Ａ、４０Ｂとがそれぞれ平行になるように調節することができる。したがって、眼鏡用測定具１が測定時に動いたり、傾いたりすることがなく、正確に測定することができる。
【００３８】
なお、上記した実施の形態においては、左側の側板４０Ａにのみ傾斜角測定部Ｄを設けたが、これに限らず右側の側板４０Ｂに設けたり、あるいは両方の側板４０Ａ、４０Ｂに設けてもよい。距離測定部Ｃについても同様に左右の側板４０Ａ、４０Ｂのいずれか一方にのみ設けてもよい。さらに、レンズやフレーム枠横面から角膜頂点までの距離や傾斜角を測定しない場合は、瞳孔間距離とアイポイント高さのみを測定する専用の測定具として使用してもよい。
【００３９】
また、上記実施の形態は、フレーム枠６を備えた眼鏡フレーム３に適用した例を示したが、ツーポイントフレーム、ナイロン線フレーム等の眼鏡フレームに対して共通に使用されるものである。
【図面の簡単な説明】
【００４０】
【図１】本発明に係る眼鏡用測定具の一実施の形態を示す外観斜視図である。
【図２】眼鏡用測定具の正面図である。
【図３】眼鏡用測定具の平面図である。
【図４】眼鏡用測定具の左側面図である。
【図５】図１のＶ−Ｖ線断面図である。
【図６】測定時の状態を示す正面図である。
【図７】測定時の状態を示す左側面図である。
【符号の説明】
【００４１】
１…眼鏡用測定具、２…前面板、３…眼鏡フレーム、６…フレーム枠、７…レンズ、８…ＰＤ用水平基準線、１０Ｌ…左眼瞳孔水平位置読取用表示目盛、１０Ｒ…右眼瞳孔水平位置読取用表示目盛、１２Ｌ…左眼瞳孔高さ読取用表示目盛、１２Ｒ…右眼瞳孔高さ読取用表示目盛、２６…ねじ孔、３０…高さ調整機構、３１…ねじ体、３２…高さ調整アーム、３６Ａ、３６Ｂ…載置部、３９…ガイド部、４０Ａ、４０Ｂ…側板、４５…距離測定用表示目盛、５０…傾斜角測定用表示目盛、５１…針、５４…傾斜角測定用垂直基準線、６０…押圧・調節手段、６１…回転板、Ａ…瞳孔間距離測定部、Ｂ…アイポイント高さ測定部、Ｃ…距離測定部、Ｄ…傾斜角測定部、ＰＬ、ＰＲ…瞳孔。
【図１】
2009148418.tif 000003
【図２】
2009148418.tif 000004
【図３】
2009148418.tif 000005
【図４】
2009148418.tif 000006
【図５】
2009148418.tif 000007
【図６】
2009148418.tif 000008
【図７】
2009148418.tif 000009